(57)【要約】【課題】主に各種電子機器の遠隔操作に用いられるリモコン送信機に関し、確実な保持が可能で、操作のし易いものを提供することを目的とする。【解決手段】上面から操作体の複数のキー１３が突出した上ケース１１と、この上ケース１１下面を覆う下ケース１７の外縁間に、略コの字状の弾性体１８を挟持してリモコン送信機を構成することによって、滑りにくく、手にフィットして持ちやすくなるため、リモコン送信機の落下を防ぎ、確実な保持が可能で、操作のし易いものを得ることができる。【選択図】図１
2006019880.tif 000002
【特許請求の範囲】
【請求項１】
略箱状で下面開口の上ケースと、この上ケース上面から複数のキーが突出した操作体と、このキーの操作によって電気的接離を行うスイッチ接点と、この操作に応じて送信手段からリモコン信号を送信する制御手段と、上記上ケース下面を覆う下ケースからなり、上記上ケースと下ケースの外縁間に略コの字状の弾性体を挟持したリモコン送信機。
【請求項２】
弾性体の上下面に複数の凹部を設けると共に、この凹部に上下ケース外縁に設けた複数の凸部を挿入した請求項１記載のリモコン送信機。
【請求項３】
操作体と弾性体を一体に形成した請求項１記載のリモコン送信機。
【発明の詳細な説明】
【技術分野】
【０００１】
本発明は、主に映像や音響機器等の各種電子機器の遠隔操作に用いられるリモコン送信機に関するものである。
【背景技術】
【０００２】
近年、リモコン送信機を用いたテレビやオーディオ、エアコン等の各種電子機器の遠隔操作が広く行われるなか、持ちやすく、操作の容易なリモコン送信機が求められている。
【０００３】
このような従来のリモコン送信機について、図４を用いて説明する。
【０００４】
図４は従来のリモコン送信機の外観斜視図であり、同図において、１は略箱状で下面開口の絶縁樹脂製の上ケース、２はこの上ケース１内に収納されたゴム等の操作体で、操作体２の複数のキー３が、上ケース１上面から上下動可能に突出している。
【０００５】
また、上ケース１内には電池（図示せず）や、上下面に複数の配線パターンが形成された配線基板（図示せず）が収納され、この配線基板と複数のキー３下面の間にスイッチ接点（図示せず）が設けられると共に、配線基板に実装されたマイコン等の電子部品によって制御手段４や、発光ダイオード等の電子部品によって送信手段５が形成されている。
【０００６】
そして、これらを収納した上ケース１下面を絶縁樹脂製の下ケース６が覆い、ネジ（図示せず）等によって上ケース１と下ケース６が固着されて、リモコン送信機が構成されている。
【０００７】
以上の構成において、このようなリモコン送信機を片手で持ち、もう一方の手で所定のキー３、例えば、電源の入／切用のキー３Ａや音量切換え用のキー３Ｂ等を押圧操作すると、この個所のスイッチ接点の電気的接離が行われ、制御手段４がこれらの操作状態を検出する。
【０００８】
そして、これらに対応した赤外線のリモコン信号が送信手段５から電子機器へ送信され、これを機器に設けられた受信機（図示せず）が受信して、例えば、テレビやオーディオ、エアコン等の電源の入／切や、音量の増減等が遠隔操作によって行われるものであった。
【０００９】
なお、この出願の発明に関連する先行技術文献情報としては、例えば、特許文献１が知られている。
【特許文献１】特開２００３−１１１１６４号公報
【発明の開示】
【発明が解決しようとする課題】
【００１０】
しかしながら、上記従来のリモコン送信機においては、上ケース１と下ケース６が絶縁樹脂製で平滑な外面となっているため、操作時に手で持ったり、室内で持ち運んだ際に、誤まって落とし易く、この落下時の衝撃によって上下ケースに傷や破損が生じたり、内部の制御手段４や送信手段５等の動作が不確実になったりし易いという課題があった。
【００１１】
本発明は、このような従来の課題を解決するものであり、手による確実な保持が可能で、操作の行い易いリモコン送信機を提供することを目的とする。
【課題を解決するための手段】
【００１２】
上記目的を達成するために本発明は、以下の構成を有するものである。
【００１３】
本発明の請求項１に記載の発明は、上面から操作体の複数のキーが突出した上ケースと、この上ケース下面を覆う下ケースの外縁間に、略コの字状の弾性体を挟持してリモコン送信機を構成したものであり、上下ケースの外縁間の弾性体によって滑りにくく、手にフィットして持ちやすくなるため、リモコン送信機の落下を防ぎ、確実な保持が可能で、操作のし易いリモコン送信機を得ることができるという作用を有する。
【００１４】
請求項２に記載の発明は、請求項１記載の発明において、弾性体の上下面に複数の凹部を設けると共に、この凹部に上下ケース外縁に設けた複数の凸部を挿入したものであり、複数の凹凸部によって弾性体が上下ケース外縁に挟持されているため、弾性体の保持が確実で、上下ケースから外れにくいものとすることができるという作用を有する。
【００１５】
請求項３に記載の発明は、請求項１記載の発明において、操作体と弾性体を一体に形成したものであり、構成部品数を減らし、リモコン送信機を安価に形成することができるという作用を有する。
【発明の効果】
【００１６】
以上のように本発明によれば、確実な保持が可能で、操作のし易いリモコン送信機を実現できるという有利な効果が得られる。
【発明を実施するための最良の形態】
【００１７】
以下、本発明の実施の形態について、図１〜図３を用いて説明する。
【００１８】
（実施の形態）
図１は本発明の一実施の形態によるリモコン送信機の断面図、図２は同分解斜視図であり、同図において、１１は下面開口の略箱状でポリスチレンやＡＢＳ等の絶縁樹脂製の上ケース、１２はこの上ケース１１内に収納されたシリコンゴムやエラストマー等の操作体で、操作体１２にはドーム状で上方へ突出した複数のキー１３が設けられ、このキー１３が上ケース１１上面から上下動可能に突出している。
【００１９】
また、上ケース１１内には電池（図示せず）や、上下面に銅箔等によって複数の配線パターンが形成された、紙フェノールやガラス入りエポキシ等の配線基板１４が収納されると共に、この配線基板１４上面には複数の固定接点１４Ａが設けられ、この固定接点１４Ａとキー１３下面に設けられたカーボン等の可動接点１３Ａが、所定の間隙を空けて対向して、複数のスイッチ接点が形成されている。
【００２０】
さらに、配線基板１４の上下面には、マイコン等の電子部品によって制御手段１５や、発光ダイオード等の電子部品によって送信手段１６が形成されている。
【００２１】
そして、１７はポリスチレンやＡＢＳ等の絶縁樹脂製の下ケースで、この下ケース１７が操作体１２や配線基板１４等を収納した上ケース１１下面を覆い、ネジ等によって上ケース１１に固着されている。
【００２２】
また、１８は略コの字状でシリコンゴムやエラストマー等の弾性体で、この上ケース１１や下ケース１７の外形よりもやや大きく、外方へ突出する外形寸法の弾性体１８が、やや撓んだ状態で、上ケース１１と下ケース１７の外縁間に挟持されている。
【００２３】
さらに、弾性体１８の上下面には複数の凹部１８Ａが設けられ、この凹部１８Ａに上ケース１１の外縁下面に設けられた複数の凸部１１Ａと、下ケース１７の外縁上面に設けられた複数の凸部１７Ａが挿入されて、リモコン送信機が構成されている。
【００２４】
以上の構成において、このようなリモコン送信機を片手で持ち、もう一方の手で所定のキー１３、例えば、電源の入／切用や音量切換え用等のキー１３を押圧操作すると、この個所のスイッチ接点の電気的接離が行われ、制御手段１５がこれらの操作状態を検出する。
【００２５】
そして、これらに対応した赤外線のリモコン信号が送信手段１６から電子機器へ送信され、これを機器に設けられた受信機（図示せず）が受信して、例えば、テレビやオーディオ、エアコン等の電源の入／切や、音量の増減等が遠隔操作によって行われる。
【００２６】
なお、このようにリモコン送信機を手で持って操作する際、上ケース１１と下ケース１７の外縁間には、外方へやや突出する弾性体１８が挟持されているため、この弾性体１８が手にフィットして滑りにくくなり、持ちやすくなるように構成されている。
【００２７】
このように本実施の形態によれば、上ケース１１と下ケース１７の外縁間に、略コの字状の弾性体１８を挟持してリモコン送信機を構成することによって、滑りにくく、手にフィットして持ちやすくなるため、リモコン送信機の落下を防ぎ、確実な保持が可能で、操作のし易いリモコン送信機を得ることができるものである。
【００２８】
また、弾性体１８の上下面に複数の貫通孔の凹部１８Ａを設けると共に、この凹部１８Ａに上ケース１１の外縁下面に設けた複数の凸部１１Ａと、下ケース１７の外縁上面に設けた複数の凸部１７Ａを挿入し、これら複数の凹凸部によって弾性体１８を上下ケース外縁に挟持することによって、弾性体１８の保持が確実で、上下ケースから外れにくいものとすることができる。
【００２９】
さらに、図３の分解斜視図に示すように、操作体２０の外周に、上ケース１１と下ケース１７の外縁間に挟持される略コの字状の弾性部２０Ａを設け、操作体と弾性体を一体に形成すれば、全体の構成部品数を減らし、リモコン送信機を安価に形成することができる。
【産業上の利用可能性】
【００３０】
本発明によるリモコン送信機は、確実な保持が可能で、操作のし易いものが得られ、主に各種電子機器の遠隔操作用として有用である。
【図面の簡単な説明】
【００３１】
【図１】本発明の一実施の形態によるリモコン送信機の断面図
【図２】同分解斜視図
【図３】同他の実施の形態によるリモコン送信機の分解斜視図
【図４】従来のリモコン送信機の外観斜視図
【符号の説明】
【００３２】
１１  上ケース
１１Ａ  凸部
１２  操作体
１３  キー
１３Ａ  可動接点
１４  配線基板
１４Ａ  固定接点
１５  制御手段
１６  送信手段
１７  下ケース
１７Ａ  凸部
１８  弾性体
１８Ａ  凹部
２０  操作体
２０Ａ  弾性部
【図１】
2006019880.tif 000003
【図２】
2006019880.tif 000004
【図３】
2006019880.tif 000005
【図４】
2006019880.tif 000006